(57)【特許請求の範囲】
【請求項１】
セル機能停止に対処する方法であって、
第１のセルが第１の基地局に属し、第２のセルが前記第１のセルの受信可能範囲を引き継ぐセルであるとして、統合参照ポイント・マネージャ（ＩＲＰマネージャ）が、セル機能停止が前記第２のセルに起こったことを判定した場合、前記ＩＲＰマネージャが、ＯＡＭノースバウンド・インターフェイスを介して、前記第１の基地局が前記第１のセルをエネルギー節約状態から正常状態に遷移するように指示するステップ
を備える方法。
【請求項２】
前記ＩＲＰマネージャが、前記セル機能停止が前記第２のセルに起こったことを判定するステップは、
前記ＩＲＰマネージャが、第２の基地局によって送信される前記第２のセルのセル識別子と前記セル機能停止が前記第２のセルに起こったことを指示するセル機能停止指示情報とを受信するステップを備える、請求項１に記載の方法。
【請求項３】
前記ＩＲＰマネージャが、前記ＯＡＭノースバウンド・インターフェイスを介して、前記第１の基地局が前記第１のセルを前記エネルギー節約状態から前記正常状態に遷移するように指示するステップは、
エネルギー節約機能を無効にする理由情報がセル機能停止の原因値であるとして、前記ＩＲＰマネージャが、前記ＯＡＭノースバウンド・インターフェイスを介して、前記エネルギー節約機能を無効にする前記理由情報を前記第１の基地局に送信するステップを備える、請求項１または２に記載の方法。
【請求項４】
エネルギー節約が無効にされた対象の識別子が前記第１のセルのセル識別子、または、前記第１の基地局の識別子であるとして、前記ＩＲＰマネージャが、前記ＯＡＭノースバウンド・インターフェイスを介して、エネルギー節約が無効にされた前記対象の前記識別子、または、構成パラメータ情報を前記第１の基地局に送信するステップをさらに備える、請求項３に記載の方法。
【請求項５】
構成パラメータ修正コマンドが前記第１のセルの構成パラメータと前記構成パラメータを修正する理由とを含み、前記修正の理由がセル機能停止の原因値または前記修正が非セル機能停止によって引き起こされた修正とは異なることを指示する原因値であるとして、前記ＩＲＰマネージャが、前記構成パラメータ修正コマンドを前記第１の基地局に送信するステップをさらに備える、請求項１または２に記載の方法。
【請求項６】
前記ＩＲＰマネージャが、前記セル機能停止が前記第２のセルに起こったことを判定する前に、
指示情報が前記第１のセルの隣接セル関係情報中で搬送されるエネルギー節約補償セル情報であるか、または、前記指示情報が前記第１のセルのセル属性情報中で搬送される許可されたエネルギー節約の識別子情報であるとして、前記ＩＲＰマネージャが、前記ＯＡＭノースバウンド・インターフェイスを介して、エネルギー節約が前記第１のセルのため許可されたことを指示する指示情報を前記第１の基地局に送信するステップをさらに備える、請求項１または２に記載の方法。
【請求項７】
エネルギー節約機能を有効にする理由情報が解決済みの機能停止の原因値であるとして、前記第２のセルのセル機能停止が終了したことを突き止めるとき、前記ＩＲＰマネージャが、前記ＯＡＭノースバウンド・インターフェイスを介してエネルギー節約機能を有効にする前記理由情報を前記第１の基地局に送信するステップをさらに備える、請求項１または２に記載の方法。
【請求項８】
前記エネルギー節約機能を有効にする識別子が前記第１のセルのセル識別子または前記第１の基地局の識別子であるとして、前記ＩＲＰマネージャが、前記ＯＡＭノースバウンド・インターフェイスを介して、前記エネルギー節約機能を有効にする前記識別子を前記第１の基地局に送信するステップをさらに備える、請求項７に記載の方法。
【請求項９】
受信モジュールおよび対処モジュールを備え、
前記受信モジュールは、セル機能停止が第２のセルに起こったことを判定するように構成され、
前記対処モジュールは、ＯＡＭノースバウンド・インターフェイスを介して、第１のセルをエネルギー節約状態から正常状態に遷移させることを第１の基地局に命令するように構成され、前記第１のセルが前記第１の基地局に属し、前記第２のセルが前記第１のセルの受信可能範囲を引き継ぐセルであるとして構成される、
装置。
【請求項１０】
前記受信モジュールは、第２の基地局によって送信される前記第２のセルのセル識別子と前記セル機能停止が前記第２のセルに起こったことを指示するセル機能停止指示情報とを受信することで前記セル機能停止が前記第２のセルに起こったことを判定するように構成され、前記第２のセルは前記第２の基地局に属する、請求項９に記載の装置。
【請求項１１】
前記対処モジュールは、前記ＯＡＭノースバウンド・インターフェイスを介して、前記第１の基地局が前記第１のセルを前記エネルギー節約状態から前記正常状態に遷移するように指示するためにエネルギー節約機能を無効にする理由情報を前記第１の基地局に送信するように構成され、前記エネルギー節約機能を無効にする前記理由情報がセル機能停止の原因値である、請求項９または１０に記載の装置。
【請求項１２】
前記対処モジュールは、前記ＯＡＭノースバウンド・インターフェイスを介して、エネルギー節約が無効にされた対象の識別子、または、構成パラメータ情報を前記第１の基地局に送信するようにさらに構成され、エネルギー節約が無効にされた前記対象の前記識別子が前記第１のセルのセル識別子、または、前記第１の基地局の識別子である、請求項１１に記載の装置。
【請求項１３】
前記対処モジュールは、構成パラメータ修正コマンドを前記第１の基地局に送信するようにさらに構成され、前記構成パラメータ修正コマンドが前記第１のセルの構成パラメータと前記構成パラメータを修正する理由とを含み、前記修正の理由がセル機能停止の原因値または前記修正が非セル機能停止によって引き起こされた修正とは異なることを指示する原因値である、請求項９または１０に記載の装置。
【請求項１４】
前記受信モジュールが、前記セル機能停止が前記第２のセルに起こったことを判定する前に、
前記対処モジュールは、前記ＯＡＭノースバウンド・インターフェイスを介して、エネルギー節約が前記第１のセルのため許可されたことを指示する指示情報を前記第１の基地局に送信するようにさらに構成され、前記指示情報が前記第１のセルの隣接セル関係情報中で搬送されるエネルギー節約補償セル情報であるか、または、前記指示情報が前記第１のセルのセル属性情報中で搬送される許可されたエネルギー節約の識別子情報である、請求項９または１０に記載の装置。
【請求項１５】
前記対処モジュールは、前記受信モジュールが前記第２のセルのセル機能停止が終了したことを突き止めるとき、前記ＯＡＭノースバウンド・インターフェイスを介してエネルギー節約機能を有効にする理由情報を前記第１の基地局に送信するようにさらに構成され、エネルギー節約機能を有効にする前記理由情報が解決済みの機能停止の原因値である、請求項９または１０に記載の装置。
【発明の詳細な説明】
【技術分野】
【０００１】
本願は、２０１０年４月３０日付けで出願され、“ＭＥＴＨＯＤ  ＦＯＲ  ＨＡＮＤＬＩＮＧ  ＣＥＬＬ  ＯＵＴＡＧＥ  ＡＮＤ  ＤＥＶＩＣＥ  ＴＨＥＲＥＯＦ”と題する中国特許出願第２０１０１０１６９４５３．９号に基づく優先権を主張し、この中国特許出願は、参照によって全体として本書に組み込まれる。
【０００２】
本発明は、移動体通信の分野、特に、セル機能停止に対処する方法に関する。
【背景技術】
【０００３】
自己組織ネットワーク上の基地局は、自動エネルギー節約機能を有し、セルをエネルギー節約状態のセルと非エネルギー節約状態のセルとに分類することがある。具体的には、基地局は、事前に設定された自動エネルギー節約ポリシーに従って、たとえば、現状および推測されるネットワーク・サービス使用の詳細等の要因により、基地局の一部または全部の機能を無効にすることによって、または、基地局の送信電力を低減することによって、基地局に属している一部または全部のセルを正常状態からエネルギー節約状態に遷移させる。このようにして、ユーザのサービス品質が低減することなく、基地局の電力消費が低減される。
【０００４】
セル機能停止（アウテージ）は、ネットワーク・エラー・シナリオである。自己組織ネットワーク上で、セル機能停止のための自動処理機能は、セル機能停止の場合に、セル機能停止を迅速に検出し、そして、セル機能停止を自動的に処理することができる。
【０００５】
従来技術では、基地局の自動エネルギー節約機能と、セル機能停止のための自動処理機能とは、自己組織ネットワーク上で衝突することがある。
【発明の概要】
【発明が解決しようとする課題】
【０００６】
本発明の実施形態は、セル機能停止に対処する方法および装置を提供する。
【課題を解決するための手段】
【０００７】
本発明の実施形態において提供される方法は、エネルギー節約起動メッセージがエネルギー節約機能を無効にするために使用され、第２のセルが第２の基地局に属するとして、セル機能停止が第２のセルに起こったときに、第１の基地局によって、第２の基地局が送信するエネルギー節約起動メッセージを受信するステップ、第１のセルが第１の基地局に属し、第２のセルが第１のセルの受信可能範囲を引き継ぐセルであるとして、第１の基地局によって、エネルギー節約起動メッセージに従って、第１のセルをエネルギー節約状態から正常状態に遷移させるステップ、または、第３のセルが第１の基地局に属し、第２のセルが第３のセルの受信可能範囲を引き継ぐセルであるとして、第１の基地局によって、第２のセルのセル機能停止が解決済みであることを突き止めるまで、エネルギー節約起動メッセージに従って、第３のセルを正常状態に維持するステップ、を含む。
【０００８】
本発明の実施形態において提供される方法は、第２のセルが第２の基地局に属するとして、第１の基地局によって、第２の基地局から、セル機能停止が第２のセルに起こったことを指示するために使用される通知メッセージを受信するステップ、第１のセルが第１の基地局に属し、第２のセルが第１のセルの受信可能範囲を引き継ぐセルであるとして、第１の基地局によって、通知メッセージに従って第１のセルをエネルギー節約状態から正常状態に遷移させるステップ、または、第３のセルが第１の基地局に属し、第２のセルが第３のセルの受信可能範囲を引き継ぐセルであるとして、第１の基地局によって、第２のセルのセル機能停止が解決済みであることを突き止めるまで、通知メッセージに従って第３のセルを正常状態に維持するステップ、を含む。
【０００９】
本発明の実施形態において提供される方法は、第１のセルが第１の基地局に属し、第２のセルが第１のセルの受信可能範囲を引き継ぐセルであるとして、セル機能停止が第２のセルに起こったことを検出するときに、統合参照ポイント・マネージャによって、ＯＡＭノースバウンド・インターフェイスを介して、第１の基地局が第１のセルをエネルギー節約状態から正常状態に遷移させることを有効にするステップ、または、第３のセルが第１の基地局に属し、第２のセルが第３のセルの受信可能範囲を引き継ぐセルであるとして、セル機能停止が第２のセルに起こったことを検出するときに、統合参照ポイント・マネージャによって、第２のセルのセル機能停止が解決済みであることを突き止めるまで、ＯＡＭノースバウンド・インターフェイスを介して、第３のセルを正常状態に維持するステップ、を含む。
【００１０】
本発明の実施形態において提供される基地局は、セル機能停止が第２のセルに起こったことを指示する通知を受信するように構成されている送信モジュールと、第１のセルが基地局に属し、第２のセルが第１のセルの受信可能範囲を引き継ぐセルであるとして、第１のセルをエネルギー節約状態から正常状態に遷移させるように構成されている対処モジュールとを含み、または、対処モジュールは、第３のセルが基地局に属し、第２のセルが第３のセルの受信可能範囲を引き継ぐセルであるとして、第２のセルのセル機能停止が解決されるまで、第３のセルを正常状態に維持するように構成されている。
【００１１】
本発明の実施形態において提供される装置は、セル機能停止が第２のセルに起こったことを判定するように構成されている受信モジュールと、第１のセルが基地局に属し、第２のセルが第１のセルの受信可能範囲を引き継ぐセルであるとして、ＯＡＭノースバウンド・インターフェイスを介して、第１のセルをエネルギー節約状態から正常状態に遷移させることを第１の基地局に命令するように構成されている対処モジュールと、を含み、または、対処モジュールは、第３のセルが第１の基地局に属し、第２のセルが第３のセルの受信可能範囲を引き継ぐセルであるとして、ＯＡＭノースバウンド・インターフェイスを介して、第２のセルのセル機能停止が解決済みであることを突き止めるまで、第３のセルを正常状態に維持することを第１の基地局に命令するように構成されている。
【００１２】
本発明の実施形態において提供される方法または装置を使用することにより、エネルギー節約状態にある第１のセルによって当初は受信可能とされていた範囲を受信可能とする第２のセルにセル機能停止が起こったときに、受信不可能領域が生じないようにすることができる。
【図面の簡単な説明】
【００１３】
【図１】（ａ）は本発明の実施形態による分散型アーキテクチャの略図である、（ｂ）は本発明の別の実施形態による集中型アーキテクチャの略図である。
【図２】本発明の別の実施形態によるセル機能停止に対処する方法のフローチャートである。
【図３】本発明の別の実施形態によるセル機能停止に対処する方法のフローチャートである。
【図４】本発明の別の実施形態によるセル機能停止に対処する方法のフローチャートである。
【図５】本発明の別の実施形態による基地局の略図である。
【図６】本発明の別の実施形態による装置の略図である。
【発明を実施するための形態】
【００１４】
以下は、本発明の実施形態において添付図面を参照して本発明の実施形態の技術的課題を明瞭かつ完全に記述する。記述された実施形態が本発明のすべての実施形態ではなく本発明の単に一部の実施形態であることが明白である。本発明の実施形態に基づいて、何ら創造的な努力を行うことなく当業者によって達成されるすべての他の実施形態は、当然に本発明の保護範囲に入るであろう。
【００１５】
図１（ａ）に示されるように、本発明の実施形態における自己組織ネットワークが記述されたアーキテクチャを採用するとき、セルＡ（ｃｅｌｌ  Ａ）が基地局１（ｅＮＢ１）に属し、セルＢ（ｃｅｌｌ  Ｂ）が基地局２（ｅＮＢ２）に属し、Ｘ２インターフェイスがｅＮＢ１とｅＮＢ２との間に存在する。セルＡがエネルギー節約状態にあるとき、セルＢは、セルＡのネットワーク受信可能範囲を引き継ぐ。すなわち、セルＢは、セルＡを補償する受信可能範囲を提供する能力がある。セルＢは、セルＡの補償セルと簡略に称されることがある。すなわち、セルＡのｅＮＢ１が自動エネルギー節約機能を有効にするとき、ｅＮＢ１は、エネルギー節約機能ポリシーの設定に従って、セルＡがある時点にエネルギー節約状態に留まること（すなわち、エネルギー節約状態に入ること）を有効にし、セルＢは、セルＡのネットワーク受信可能範囲を引き継ぐことがある。
【００１６】
図１（ｂ）に示されるように、本発明の実施形態における自己組織ネットワークが集中アーキテクチャを採用するとき、セルＡ（ｃｅｌｌ  Ａ）は、基地局１（ｅＮＢ１）に属し、セルＢ（ｃｅｌｌ  Ｂ）は、基地局２（ｅＮＢ２）に属し、ｅＮＢ１およびｅＮＢ２は、同じ統合参照ポイント・マネージャ（ＩＲＰマネージャ）によって管理される。本発明の他の実施形態では、ＯＡＭシステムは、ＩＲＰマネージャ、または、ＩＲＰマネージャを含む複数の装置の組を指すことがある。ｅＮＢ１は、統合参照ポイント・エージェント（ＩＲＰエージェント１）の内部に位置し、ＩＲＰエージェントとＯＡＭシステムとの間でＯＡＭノースバウンド・インターフェイス（ｉｔｆ−Ｎ）を介して通信することができる。ｅＮＢ２とＩＲＰエージェント２とは、２台の独立した装置であり、ｅＮＢ２は、ＩＲＰエージェント２内のネットワーク要素マネージャ（Ｎｅｔｗｏｒｋ  Ｅｌｅｍｅｎｔ  Ｍａｎａｇｅｒ）と通信するので、ｅＮＢ２は、ＩＲＰエージェント２とＯＡＭシステムとの間でｉｔｆ−Ｎインターフェイスを介してＯＡＭシステムと通信する。その上、ｅＮＢとＩＲＰエージェントとが本発明の実施形態において独立した装置であるかどうかは、実施形態の実施に影響を与えない。ＩＲＰエージェントを使用することによるｅＮＢとＯＡＭシステムとの間の通信は、本発明の実施形態において詳述されることはない。しかし、外部装置ＩＲＰエージェントを使用することによるＩＲＰエージェントの内部に位置しているｅＮＢとＩＲＰマネージャとの間の通信と、ＩＲＰとＩＲＰマネージャとの間の通信とは、一様にｉｔｆ−Ｎインターフェイスを介したｅＮＢとＯＡＭシステムとの間の通信と称される。
【００１７】
本発明の実施形態は、分散アーキテクチャ下でのセル機能停止に対処する方法を提供する。図１（ａ）を一例とすると、セルＡがエネルギー節約状態にあるとき、セルＢは、セルＡのネットワーク受信可能範囲を引き継ぐ、と仮定される。セル機能停止がセルＢに起こったとき、セルＡは、エネルギー節約状態から正常状態に遷移されるので、セルＡは、当初の受信可能範囲を取り戻し、これは、補償セルに起こったセル機能停止がネットワーク受信可能範囲に与える影響を低減する。さらに、セルＢのセル機能停止の問題が解決される前に、セルＡは、プリセット自動エネルギー節約ポリシーに従って、再びエネルギー節約状態に入らない。その上、セルＡが正常状態にあり、セル機能停止がセルＢに起こったとき、セルＡは、セルＢのセル機能停止の問題が解決される（すなわち、セル機能停止が終了する）前に、当初のエネルギー節約ポリシーに従って、エネルギー節約状態に入らない。その結果、ネットワーク内に受信不可能領域が生じないようにすることができるか、または、セルネットワーク受信可能範囲内の頻繁な引き継ぎの変化によるピンポン効果が生じないようにすることができる。
【００１８】
図１（ａ）に示された分散アーキテクチャを一例とすると、本発明の別の実施形態は、セル機能停止に対処する方法を提供する。図２に示されるように、この方法は、以下のステップを含む。
【００１９】
Ｓ２１０。ｅＮＢ２は、セル機能停止がセルＢに起こったことを検出する。
【００２０】
Ｓ２２０。ｅＮＢ２は、第１の通知メッセージをｅＮＢ１に送信する。
【００２１】
たとえば、ｅＮＢ２は、第１の通知メッセージをすべての隣接ｅＮＢに送信する。ｅＮＢ１は、ｅＮＢ２の隣接ｅＮＢのうちの１台であるので、ｅＮＢ１は、第１の通知メッセージを受信することがある。
【００２２】
別の実施例では、ｅＮＢ２は、どちらのセルが補償セルとしてセルＢを使用することがあるかを判定するためにセルＢの関連情報を取得することがあり、その後、ｅＮＢ２は、第１の通知メッセージを判定された１または複数のセルに送信する。
【００２３】
第１の通知メッセージは、セル識別子およびセル機能停止指示情報を含むことがあり、セル機能停止指示情報は、セル機能停止が第１の通知メッセージ中のセル識別子に対応するセルに起こったかどうかを指示するために使用される。たとえば、第１の通知メッセージ中のセル識別子がセルＢのセル識別子である場合、セル機能停止指示は、セル機能停止がセルＢに起こったことを指示する。
【００２４】
所望により、ｅＮＢ２は、第１の通知メッセージまたは他のメッセージ中で開始遅延時間情報を搬送してもよい。たとえば、開始遅延時間情報は、待機持続時間情報を含み、この待機持続時間は、ｅＮＢ１が開始時間情報を受信した時点からセルＡの状態遷移プロセスが開始する時点までの待機持続時間を指示する。待機持続時間情報に対応する持続時間がＴであると仮定すると、ｅＮＢ１は、開始遅延時間情報を受信した後にＴに亘って待機する。セルＢのセル機能停止が解決されたことを突き止めていない場合、ｅＮＢ１は、セルＡをエネルギー節約状態から正常状態に遷移させるためにセルＡの状態の状態遷移を開始する。別の実施例では、開始遅延時間情報は、開始時間情報を含み、この開始時間情報は、ｅＮＢ１がセルＡの状態遷移プロセスを開始する時点を指示する。開始時間情報が時点ｔに一致すると仮定する。ｅＮＢ１がセルＢのセル機能停止が時点ｔに解決されたことを突き止めていない場合、ｅＮＢ１は、セルＡをエネルギー節約状態から正常状態にセルＡを遷移させるためにセルＡの状態遷移プロセスを開始する。上記処理方法は、セルＡが高いネットワーク受信可能範囲要件を有していないシナリオ、たとえば、セルＡが重大なセルではないシナリオに適用できる。セル機能停止がセルＢに起こった後、セルＢは、自力で修復することがある。セル機能停止の問題がある期間内に解決された場合、ｅＮＢ１は、セルＡの状態を変化させる必要がなく、セルＡのネットワーク受信可能範囲に大きな影響はない。セル機能停止の問題がある期間内に解決されない場合、ｅＮＢ１は、セルＡをエネルギー節約状態から正常状態に遷移させ、セルＡは、前の受信可能範囲を引き継ぐ。
【００２５】
Ｓ２３０。ｅＮＢ１は、第１の通知メッセージを受信し、セルＢを補償セルとして使用するセルがエネルギー節約状態にあるかどうかを判定する。エネルギー節約状態にあるセルが存在する場合、Ｓ２４０を実行する。エネルギー節約状態にないセルが存在する場合、Ｓ２５０を実行する。
【００２６】
たとえば、ｅＮＢ２は、第１の通知メッセージをすべての隣接ｅＮＢに送信することがあり、ｅＮＢ１は、第１の通知メッセージによってセル機能停止がセルＢに起こったことを突き止め、その後、セルＢを補償セルとして使用し得るセルが存在するかどうかを判定するためにｅＮＢ１に属する個々のセルの関連情報を取得することがある。たとえば、ｅＮＢ１は、セルＢがセルＡの補償セルであるかどうかと、このセルがエネルギー節約状態にあるかどうかを判定するために、セルＡの関連情報を取得する。
【００２７】
Ｓ２４０。ｅＮＢ１は、セルＢを補償セルとして使用し、かつ、エネルギー節約状態にあるセルの状態を遷移させる。遷移後、セルは、正常状態にある。
【００２８】
たとえば、セルＡがエネルギー節約状態にあり、かつ、セルＢがセルＡのネットワーク受信可能範囲を引き継ぐ場合、ｅＮＢ１は、セルＡをエネルギー節約状態から正常状態に遷移させ、その結果、セル機能停止がエネルギー節約状態にあるセルＡのネットワーク受信可能範囲を引き継ぐセルに起こったとき、ネットワーク内に受信不可能領域が生じないようにする。
【００２９】
所望により、ｅＮＢ１がｅＮＢ２によって送信された開始遅延時間情報を受信した場合、たとえば、Ｓ２３０においてｅＮＢ１によって受信された第１の通知メッセージが開始遅延時間情報を含む場合、ｅＮＢ１は、セルＡをエネルギー節約状態から正常状態に遷移させるために開始遅延時間を待機した後にセルＢの状態遷移プロセスを開始する。ｅＮＢ１が開始遅延時間の到着を待機しているときにセルＢのセル機能停止の問題が解決されたことを突き止めた場合、ｅＮＢ１は、セルＢのセル機能停止に起因してセルＡの状態を遷移させる必要がない。
【００３０】
Ｓ２３０では、エネルギー節約状態にあり、セルＢによって引き継がれるネットワーク受信可能範囲をもつ複数のセルが存在することをｅＮＢ１が判定した場合、ｅＮＢ１は、これらのセルの全部または一部をエネルギー節約状態から正常状態に遷移させる。
【００３１】
さらに、ｅＮＢ１がセルＢのセル機能停止が終了したことを突き止めていない前に、ｅＮＢ１は、セルＡがプリセット自動エネルギー節約ポリシーに従って再びエネルギー節約状態に入ることを許可せず、すなわち、ｅＮＢ１は、セルＢのセル機能停止が終了したことを判定するまで、セルＡをエネルギー節約ではない正常状態に維持し、その結果、ネットワーク内に受信不可能領域が生じないようにする。
【００３２】
Ｓ２５０。セルのセル機能停止が終了する前に、ｅＮＢ１は、セルＢを補償セルとして使用し、かつ、正常状態にあるセルを正常状態に維持する。
【００３３】
このステップでは、セルＢがセルＣの補償セルであること、すなわち、セルＢがセルＣのネットワーク受信可能範囲を引き継ぐことができる、と仮定される。セル機能停止がセルＢに起こり、セルＣがエネルギー節約状態にないとき、ｅＮＢ１は、受信されたセル機能停止指示およびセル識別子を保存し、そして、セルＢのセル機能停止が終了する前に、セルＣがプリセット自動エネルギー節約ポリシーに従ってエネルギー節約状態に入ることを許可しない。換言すると、ｅＮＢ１は、セルＢのセル機能停止が終了したことを判定するまで、セルＣを正常状態に維持することがある。上記処理方法では、ｅＮＢ１は、セル機能停止指示がプリセット自動エネルギーより高い優先度を享受することを考慮する。たとえば、セルＢのセル識別子と対応するセル機能停止指示とが存在する場合、ｅＮＢ１は、自動エネルギー節約ポリシーを考慮することなく、セルＣを正常状態に維持する。セルＢのセル機能停止が終了したことを突き止めたとき、ｅＮＢ１は、保存されたセル機能停止指示を消去し、プリセット自動エネルギー節約ポリシーに従ってセルＡをエネルギー節約状態に遷移させるべきかどうかを検討する。上記処理方法は、セル機能停止がセルＣのネットワーク受信可能範囲を引き継ぐセルＢに起こったときにエネルギー節約状態に入るセルＣに起因してネットワーク内に受信不可能領域が生じないようにするか、または、セルＣのネットワーク受信可能範囲内でのセルＣとセルＢとの間の引き継ぎの頻繁な変更に起因するピンポン効果が生じないようにする。
【００３４】
図１（ａ）に示された分散アーキテクチャを一例とすると、本発明の別の実施形態は、セル機能停止に対処する方法を提供する。図３に示されるように、この方法は、以下のステップを含む。
【００３５】
Ｓ５１０。セルＡがエネルギー節約状態に入るか、または、まもなく入るとき、セルＡが属するｅＮＢ１は、第２の通知メッセージをセルＡの隣接セルであるセルＢが属するｅＮＢ２に送信する。
【００３６】
たとえば、ｅＮＢ１が第２の通知メッセージをセルＡのすべての隣接セルが属するｅＮＢ群に送信する場合、ｅＮＢ２は、第２の通知メッセージを受信し得る。
【００３７】
別の実施例では、ｅＮＢ１は、セルＡの補償セルとして使用され得る１つまたは複数のセルを判定するためにセルＡの関連情報を取得することがあり、その後、ｅＮＢ２は、第２の通知メッセージを判定された１つまたは複数のセルに送信する。
【００３８】
第２の通知メッセージは、セル識別子およびセルエネルギー節約指示情報を含むことがあり、このセルエネルギー節約指示情報は、セルエネルギー節約が第２の通知メッセージ中のセル識別子に対応するセルに起こったかどうかを指示するために使用される。たとえば、セルＡがエネルギー節約状態に入るとき、第２の通知メッセージは、セルＡのセル識別子を含み、セルのエネルギー節約指示情報は、セルがエネルギー節約状態に遷移されたことを指示する。
【００３９】
このステップでは、セルＡがエネルギー節約状態にまもなく入るとき、ｅＮＢ１は、第２の通知メッセージを送信し、セルＡは、ｅＮＢ１が第２の通知メッセージを送信した後、直ちに、または、ある期間の後に、エネルギー節約状態に入る。ある期間を待機するプロセスにおいて、ｅＮＢ１は、セルＡがエネルギー節約に入るケースに関連した処理を完了することがある。
【００４０】
Ｓ５２０。セルＢが属するｅＮＢ２が第２の通知メッセージを受信し、セルＢがセルＡのネットワーク受信可能範囲を引き継ぐことを許可する。
【００４１】
ｅＮＢ１は、セルＡのすべての隣接セルのｅＮＢ群に第２の通知メッセージを送信することがあるので、このステップでは、ｅＮＢ２は、ｅＮＢ２に属するセルがセルＡの補償セルとして使用され得るセルを含むかどうかを判定することがある。
【００４２】
Ｓ５３０。ｅＮＢ２は、セル機能停止がセルＢに起こったことを検出する。
【００４３】
Ｓ５４０。ｅＮＢ２は、セルＢを補償セルとして使用し得るセルＡが属するｅＮＢ１にエネルギー節約起動メッセージを送信し、このエネルギー節約起動メッセージは、セルＡを正常状態に遷移させることをｅＮＢ１に命令するために使用される。
【００４４】
たとえば、ｅＮＢ２がセルＢにセル機能停止が起こったことを検出する前にセルＡがエネルギー節約状態にあることを指示する情報を保存した場合、ｅＮＢ２は、起動される必要があるセルがセルＡであることを判定する。
【００４５】
別の実施例では、ｅＮＢ２は、補償セルとしてセルＢを使用し得る１つまたは複数のセルを判定するためにセルＢの関連情報を取得し、その後、エネルギー節約起動メッセージを判定された１つまたは複数のセルに送信することがあるか、または、ｅＮＢ２は、エネルギー節約起動メッセージをエネルギー節約状態にある１つまたは複数のセルに送信する。
【００４６】
所望により、エネルギー節約起動メッセージは、起動サービス享受セル（Ｓｅｒｖｅｄ  Ｃｅｌｌｓ  Ｔｏ  Ａｃｔｉｖａｔｅ）のセル識別子と、起動理由（Ｒｅａｓｏｎ  Ｆｏｒ  Ａｃｔｉｖａｔｉｏｎ）の情報とを含むセル起動要求（ＣＥＬＬ  ＡＣＴＩＶＡＴＩＯＮ  ＲＥＱＵＥＳＴ）メッセージである。たとえば、ｅＮＢ２が、セルＢの関連情報に従って、セルＡがセルＢのセル機能停止に起因して起動されるべきであると判定したとき、起動サービス享受セル情報は、セルＡのセル識別子であり、起動理由情報は、セル機能停止（ＣＯ）の原因値であり、すなわち、原因値は、セルがセル機能停止の発生に起因して起動されたことを指示する。所望により、起動理由は、列挙型でもよく、たとえば、この情報は、セル機能停止の原因値に加えて負荷（ＬＢ）バランス原因値をさらに含み、ここで、ＬＢは、エネルギー節約セルが負荷バランスに起因して起動されることを指示するために使用される。換言すると、負荷バランスに起因してセルを起動することを判定するとき、ｅＮＢ２は、エネルギー節約起動メッセージをセルが属するｅＮＢに送信することがあり、このエネルギー節約起動メッセージは、セルのセル識別子と負荷バランス原因値とを含む。
【００４７】
所望により、ｅＮＢ２は、エネルギー節約起動メッセージ中で開始遅延時間情報をさらに搬送することがあり、開始遅延時間情報は、ｅＮＢ１が開始遅延時間情報を受信した時点からｅＮＢ１がセルＡの状態遷移プロセスを開始する時点までの待機持続時間を指示するために使用される。
【００４８】
Ｓ５５０。ｅＮＢ１は、エネルギー節約起動メッセージを受信し、セルＡをエネルギー節約状態から正常状態に遷移させる。
【００４９】
たとえば、ｅＮＢ１は、エネルギー節約起動メッセージ中の起動理由の情報に従って、起動サービス享受セルのセル識別子に対応するセルがエネルギー節約状態にあるかどうかを判定し、その通りである場合、ｅＮＢ１は、セルＡの状態を正常状態に遷移させる。このようにして、セルＡがエネルギー節約状態にあり、かつ、セル機能停止がセルＡのネットワーク受信可能範囲を引き継ぐセルに起こったとき、ネットワーク内に受信不可能領域が生じないようにする。
【００５０】
ｅＮＢ１によって受信されたエネルギー節約起動メッセージが開始遅延時間情報を含む場合、ｅＮＢ１は、開始遅延時間を待機した後、セルＢの状態遷移状態を開始し、その結果、セルＡの状態は、正常状態に遷移される。ｅＮＢ１が開始遅延時間の到着を待機するときにセル機能停止の問題が解決されたことを突き止める場合、ｅＮＢ１は、セルＢのセル機能停止に起因してセルＡの状態を遷移させる必要がない。
【００５１】
さらに、ｅＮＢ１がセルＢのセル機能停止が終了したことを突き止めていない前に、ｅＮＢ１は、セルＡを正常状態に維持する。
【００５２】
上記実施形態では、セル機能停止がセルＢに起こったとき、ｅＮＢ２は、セル機能停止がセルＢに起こったことを他のｅＮＢ群に通知し、通知を受信したｅＮＢ群は、特定のセルのための特定の処理方法を判定する。ｅＮＢ２は、特定のセルのための特定の処理方法を判定し、その後、ｅＮＢ群が起動処理を実行する必要があることをこのセルが属するｅＮＢ群に通知することもあり、たとえば、ｅＮＢ２は、エネルギー節約起動メッセージを使用することにより、セルＡの状態が正常状態に遷移されるようにｅＮＢ１がエネルギー節約状態にあるセルＡを起動すべきことをｅＮＢ１に通知する。ｅＮＢ１およびｅＮＢ２の一方がセル機能停止のため処理されるべきセルを判定するとき、ネットワーク上の自動エネルギー節約機能と、セル機能停止が起こるシナリオとの間の条件付き処理が実施され得る。
【００５３】
本発明の個々の実施形態における基地局は、内部データベースまたはデータベース機能をもつ他の外部装置に問い合わせることによりセル間の受信可能範囲補償関係を判定することがある。データベース機能をもつ外部装置は、ＯＡＭシステム（ＩＲＰマネージャ）を含む。基地局は、問い合わせ先セルのセル識別子を含む問い合わせメッセージをｉｔｆ−Ｎインターフェイスを介してＯＡＭシステムに送信し、その後、セル間の受信可能範囲補償関係を判定するためにＯＡＭシステムによって提供された問い合わせ結果を受信することがある。ＯＡＭシステムは、インターフェイスメッセージではなく内部データに従って、セル間の受信可能範囲補償関係を判定し得る。この場合、ＯＡＭシステムは、より都合良くかつ迅速に基地局を管理し、様々な基地局によって取得された情報が同じであることを保証し、ＯＡＭシステム内でセル間の受信可能範囲補償関係を構成し更新する際に運用者を支援する。基地局の内部データベースがセル間の受信可能範囲補償関係を保存する場合、基地局は、インターフェイスメッセージを使用するのではなく、直接的にセル間の受信可能範囲補償関係を判定し得る。このようにして、より少ないエアーインターフェイス資源が占有され、運用者は、基地局内のセル間の受信可能範囲補償関係を直接的に構成または更新し得る。
【００５４】
たとえば、本発明の別の実施形態は、基地局によって、セル間の受信可能範囲補償関係を突き止める方法を提供する。本実施形態では、セル間の受信可能範囲補償関係は、問い合わせ先セルが他の（複数の）セルの補償セルとして使用されるかもしれないことを意味する。以下の説明は、問い合わせ先セルがセルＢである場合に基づく。
【００５５】
所望により、本実施形態での基地局は、セルＢのエネルギー節約に関連した隣接セル関係情報、すなわち、セルＢの隣接セル関係情報ＥＳＣｏｍｐｅｎｓａｔｅｄＣｅｌｌＲｅｌａｔｉｏｎを受信し、このＥＳＣｏｍｐｅｎｓａｔｅｄＣｅｌｌＲｅｌａｔｉｏｎ情報は、補償セルがセルＢでもよいセルのセル情報（ｅｓＣｏｍｐｅｎｓａｔｅｄＣｅｌｌ）を含む。たとえば、ｅｓＣｏｍｐｅｎｓａｔｅｄＣｅｌｌ情報がセルＡのセル識別子情報である場合、基地局は、セルＢがセルＡの補償セルとして使用されることがある、と判定する。基地局によって見つけられたＥＳＣｏｍｐｅｎｓａｔｅｄＣｅｌｌＲｅｌａｔｉｏｎ情報が複数のセルのセル識別子情報を含む場合、基地局は、セルＢが複数のセルの補償セルとして使用されることがある、と判定する。
【００５６】
所望により、本実施形態での基地局は、セルＢに関連した隣接セル関係情報、すなわち、セルＢの隣接セル関係情報ＥＵｔｒａｎＲｅｌａｔｉｏｎを受信する。ＥＵｔｒａｎＲｅｌａｔｉｏｎ情報は、セルＢの隣接セル情報（ａｄｊａｃｅｎｔＣｅｌｌ）を含むことがあり、ａｄｊａｃｅｎｔＣｅｌｌ情報は、ａｄｊａｃｅｎｔＣｅｌｌ情報に対応するセルとセルＢとの間に隣接セル関係が存在することを指示し、セルＢがａｄｊａｃｅｎｔｃｅｌｌ情報に対応するセルの補償セルであることを指示するためにも使用される。たとえば、ａｄｊａｃｅｎｔｃｅｌｌ情報がセルＡのセル識別子を含む場合、基地局は、セルＢがセルＡの補償セルとして使用されることがある、と判定する。基地局によって見つけられたａｄｊａｃｅｎｔｃｅｌｌ情報が複数のセルのセル識別子情報を含む場合、基地局は、セルＢが複数のセルの補償セルとして使用されることがある、と判定する。
【００５７】
所望により、本実施形態での基地局は、セルＢに関連したセル属性情報、すなわち、セルＢのセル属性情報ＥＵｔｒａｎＧｅｎｅｒｉｃＣｅｌｌ情報を受信し、このＥＵｔｒａｎＧｅｎｅｒｉｃＣｅｌｌ情報は、補償セルリスト情報（ｃｏｍｐｅｎｓａｔｅｄＣｅｌｌＬｉｓｔ）を含む。ｃｏｍｐｅｎｓａｔｅｄＣｅｌｌＬｉｓｔ情報は、補償セルとしてセルＢを使用することがあるセル群を指示する。たとえば、ｃｏｍｐｅｎｓａｔｅｄＣｅｌｌＬｉｓｔ情報がセルＡのセル情報（たとえば、セル識別子情報）を含む場合、基地局は、セルＢがセルＡの補償セルとして使用されることがある、と判定する。基地局によって見つけられた、セルＢに関連したｃｏｍｐｅｎｓａｔｅｄＣｅｌｌＬｉｓｔ情報が複数のセルのセル情報（たとえば、セル識別子情報）を含む場合、基地局は、セルＢが複数のセルの補償セルとして使用され得る、と判定する。
【００５８】
本発明の別の実施形態は、基地局によって、セル間の受信可能範囲補償関係を突き止める方法を提供する。本実施形態は、本実施形態におけるセル間の受信可能範囲補償関係が他の（複数の）セルが問い合わせ先のセルの補償セルとして使用されることがあるので、基地局によってセル間の受信可能範囲補償関係を突き止める上記実施形態とは相違する。以下の説明は、問い合わせ先のセルがセルＡであるという事実に基づいている。
【００５９】
所望により、本実施形態での基地局は、セルＡのエネルギー節約に関連した隣接セル関係、すなわち、セルＡの隣接セル関係情報ＥＳＣｏｍｐｅｎｓａｔｉｎｇＣｅｌｌＲｅｌａｔｉｏｎを受信し、このＥＳＣｏｍｐｅｎｓａｔｉｎｇＣｅｌｌＲｅｌａｔｉｏｎ情報は、セルＡの補償セルとして使用されることがあるセルのセル情報（ｅｓＣｏｍｐｅｎｓａｔｅｄＣｅｌｌ）を含む。たとえば、ｅｓＣｏｍｐｅｎｓａｔｉｎｇＣｅｌｌ情報がセルＢのセル識別子情報である場合、基地局は、セルＢがセルＡの補償セルとして使用されることがある、と判定する。基地局によって見つけられたＥＳＣｏｍｐｅｎｓａｔｉｎｇＣｅｌｌＲｅｌａｔｉｏｎ情報が複数のセルのセル識別子情報を含む場合、基地局は、複数のセルがセルＡの補償セルとして使用されることがある、と判定する。
【００６０】
所望により、本実施形態での基地局は、セルＡに関連した隣接セル関係情報、すなわち、セルＡの隣接セル関係情報ＥＵｔｒａｎＲｅｌａｔｉｏｎ情報を受信し、このＥＵｔｒａｎＲｅｌａｔｉｏｎ情報は、セルＡ（ａｄｊａｃｅｎｔＣｅｌｌ）の隣接セル情報を含み、ａｄｊａｃｅｎｔＣｅｌｌ情報に対応するセルとセルＡとの間に隣接関係が存在することを指示し、ａｄｊａｃｅｎｔＣｅｌｌ情報に対応するセルがセルＡの補償セルとして使用されることがあることを指示するためにさらに使用される。たとえば、ａｄｊａｃｅｎｔＣｅｌｌ情報がセルＢのセル識別子を含む場合、基地局は、セルＡがセルＢの補償セルとして使用されることがある、と判定する。基地局によって見つけられたセルＡのａｄｊａｃｅｎｔｃｅｌｌ情報が複数のセルのセル識別子情報を含む場合、ｅＮＢは、複数のセルがセルＡの補償セルとして使用されることがある、と判定する。
【００６１】
所望により、本実施形態での基地局は、セルＡに関連したセル属性情報、すなわち、セルＡのセル属性情報ＥＵｔｒａｎＧｅｎｅｒｉｃＣｅｌｌを受信し、このＥＵｔｒａｎＧｅｎｅｒｉｃＣｅｌｌ情報は、補償セルリスト情報（ｃｏｍｐｅｎｓａｔｉｎｇＣｅｌｌＬｉｓｔ）を含む。このｃｏｍｐｅｎｓａｔｉｎｇＣｅｌｌＬｉｓｔ情報は、セルＡの補償セルとして使用されることがあるセル群を指示する。たとえば、このｃｏｍｐｅｎｓａｔｉｎｇＣｅｌｌＬｉｓｔ情報がセルＢのセル情報（たとえば、セル識別子情報）を含む場合、基地局は、セルＢがセルＡの補償セルとして使用されることがある、と判定する。基地局によって見つけられたｃｏｍｐｅｎｓａｔｉｎｇＣｅｌｌＬｉｓｔ情報が複数のセルのセル情報（たとえば、セル識別子情報）を含む場合、ｅＮＢは、複数のセルがセルＡの補償セルとして使用されることがある、と判定する。
【００６２】
基地局によって、セル間の受信可能範囲補償関係を突き止める方法の上記実施形態では、受信可能範囲補償関係を問い合わせる基地局は、ｅＮＢに属するセルの識別子に従って、基地局に属するセルの情報を問い合わせ可能であり、別のセルの情報に従って別のセルの情報をさらに問い合わせ可能であり、２つのセル間に受信可能範囲補償関係が存在するかどうかを判定することが可能である。上記実施形態において提供された方法は、本発明の他の実施形態において提供されたセル機能停止に対処する方法に柔軟に組み合わされ得る。
【００６３】
本発明の別の実施形態は、セルがエネルギー節約状態に入ることを許可するかどうかを判定する方法を提供する。この方法は、以下で詳細に説明される。
【００６４】
所望により、本実施形態では、ｅＮＢ１は、セルＡに関連した隣接セル関係情報（ＥＵｔｒａｎＲｅｌａｔｉｏｎ）を受信し、このＥＵｔｒａｎＲｅｌａｔｉｏｎ情報は、セルＡのエネルギー節約補償セル情報（ｉｓＥＳｃｏｍｐｅｎｓａｔｅＣｅｌｌ）を含み、エネルギー節約がセルＡのため許可されたかどうかを指示するために使用される。たとえば、ｅＮＢ１によって受信されたｉｓＥＳｃｏｍｐｅｎｓａｔｅＣｅｌｌ情報が、エネルギー節約がセルＡのため許可された、と指示する場合、ｅＮＢ１は、プリセット自動エネルギー節約ポリシーに従って、セルＡがエネルギー節約状態に入ることを許可する条件が満たされたかどうかを判定することがあり、その通りである場合、ｅＮＢ１は、セルＡを正常状態からエネルギー節約状態に遷移させることがあり、その結果、セルＡは、エネルギー節約状態に入る。
【００６５】
所望により、本実施形態では、ｅＮＢ１は、セルＡに関連したセル属性情報（ＥＵｔｒａｎＧｅｎｅｒｉｃＣｅｌｌ）を受信し、このＥＵｔｒａｎＧｅｎｅｒｉｃＣｅｌｌ情報は、セルＡの許可されたエネルギー節約の識別子情報（ｉｓＥＳＡｌｌｏｗｅｄ）を含み、エネルギー節約がセルＡのため許可されたかどうかを指示するために使用される。たとえば、ｅＮＢ１によって受信されたｉｓＥＳＡｌｌｏｗｅｄ情報が、エネルギー節約がセルＡのため許可された、と指示する場合、ｅＮＢ１は、プリセット自動エネルギー節約ポリシーに従って、セルＡがエネルギー節約状態に入ることを許可する条件が満たされたかどうかを判定することがあり、その通りである場合、ｅＮＢ１は、セルＡを正常状態からエネルギー節約状態に遷移させることがあり、その結果、セルＡは、エネルギー節約状態に入る。
【００６６】
本実施形態では、エネルギー節約が基地局によって受信されたセルのため許可されていることを指示する情報は、ＯＡＭシステムによって送信されることがあり、すなわち、エネルギー節約がセルのため許可されていることを指示する情報が受信されたかどうかは、ＯＡＭシステムによって定式化されたエネルギー節約に関連した構成であると考えられることがある。換言すると、ＯＡＭシステムによって定式化された初期構造または更新された構造において、すべてのセルは、エネルギー節約が許可されたセルであるように構成されるとは限らない。その結果、ＯＡＭシステムは、エネルギー節約が許可されたセルをエネルギー節約が許可されていないセルから区別し、その後、区別結果に従って、エネルギー節約がセルのため許可されているかどうかを指示する情報を基地局に送信する。このようにして、ＯＡＭシステムは、都合良くかつ迅速に基地局を管理し、基地局は、自動エネルギー節約ポリシーが満たされたと判定したときにエネルギー節約状態に入ることが許可されたセル群を突き止め、これらのセル群をエネルギー節約状態に入れることが可能であり、よって、基地局群の電力消費を削減する。
【００６７】
その上、基地局によって、本発明の他の実施形態において提供されたセル間の受信可能範囲補償関係を突き止める方法を使用することにより、基地局は、エネルギー節約が許可されたセルの補償セルを判定することが可能であり、エネルギー節約が許可されていないセルを補償セルとして使用することがあるセルまたはセル群を判定することがさらに可能である。
【００６８】
本実施形態は、本発明の他の実施形態において提供されたセル機能停止に対処する方法と組み合わされることがある。たとえば、エネルギー節約が許可されたセルを決定し、このセルをエネルギー節約状態に遷移させた後、基地局は、本発明の他の実施形態では、セルがエネルギー節約状態に入った後に、ステップ、たとえば、ステップＳ５１０をさらに実行することがある。
【００６９】
本発明の別の実施形態は、基地局によって、セルのセル機能停止が終了したかどうかを突き止める方法を提供する。この方法では、基地局は、セル機能停止が起こったセルの基地局への問い合わせを開始し、受信されたフィードバックメッセージに従ってセルのセル機能停止が終了したかどうかを判定し、この問い合わせは、周期的に問い合わせメッセージを送信することにより、または、プリセットされた時間に問い合わせメッセージを送信することにより、または、問い合わせフィールドを現在の通信プロセス中のメッセージ内で搬送することにより実施され得る。
【００７０】
本実施形態は、本発明の他の実施形態において提供されたセル機能停止に対処する方法と柔軟に組み合わされることがある。ｅＮＢ１がｅＮＢ２に属するセルＢのセル機能停止が終了したことを突き止める仕方を一例として、ｅＮＢ１は、問い合わせメッセージを周期的にｅＮＢ２に送信することが可能であり、この問い合わせメッセージは、セルＢのセル機能停止が終了したかどうかを問い合わせるために使用される。セル機能停止がセルＢに起こっていないこと、すなわち、セルＢが既に修復していることを検出したとき、ｅＮＢ２は、フィードバックメッセージを送信し、このフィードバックメッセージは、セルＢのセル機能停止が終了したことを指示するために使用される。セルＢが依然としてセル機能停止中であることを検出した場合、ｅＮＢ２は、フィードバックメッセージを送信するのではなく、セルＢのセル機能停止が終了していないという事実をｅＮＢ１に通知することがある。
【００７１】
本発明の別の実施形態は、基地局によって、セルのセル機能停止が終了したかどうかを突き止める方法をさらに提供する。この方法では、基地局は、積極的には問い合わせを開始しないが、セルが属する基地局によって送信される、セル機能停止が終了したことを指示する通知を待機する。換言すると、基地局がこの通知を受信しないとき、基地局は、セル機能停止が起こったセルをセル機能停止の問題が未だ解決されていないセルであるとみなす。本実施形態は、本発明の他の実施形態において提供されたセル機能停止に対処する方法と柔軟に組み合わされることがあり、これ以上は説明しない。
【００７２】
図１（ｂ）に与えられた集中アーキテクチャを一例とすると、本発明の別の実施形態は、セル機能停止に対処する方法をさらに提供する。この方法を使用することにより、ＯＡＭシステムは、統一原理で基地局を管理し、基地局のエネルギー節約とセル機能停止対処とが協調されることがある。本実施形態は、ＯＡＭシステムがｅＮＢ２から通知を受信することによってセル機能停止が第２のセルに起こったことを突き止める所望の場合について説明する。本実施形態において提供されたＯＡＭシステムは、ＯＡＭシステムに保存された情報に従って、セル機能停止が第２のセルに起こったことをさらに判定することがあり、このことは、これ以上説明しない。図４に示されるように、本実施形態において提供された方法は、以下のステップを含むことがある。
【００７３】
Ｓ８１０。ｅＮＢ２は、セル機能停止がセルＢに起こったことを検出する。
【００７４】
Ｓ８２０。ｅＮＢ２は、セル機能停止がセルＢに起こった事実をＯＡＭシステムに通知する。
【００７５】
たとえば、ｅＮＢ２は、第３の通知メッセージをＯＡＭシステムに送信する。第３の通知メッセージは、セル機能停止が起こったセルＢのセル識別子と、セル機能停止指示情報とを含み、このセル機能停止指示情報は、セル機能停止が起こったことを指示する。
【００７６】
Ｓ８３０。ＯＡＭシステムは、第３の通知メッセージを受信し、セルＢを補償セルとして使用するセルがエネルギー節約状態にあるかどうかを判定する。エネルギー節約状態にあるこのセルが存在する場合、Ｓ８４０を実行する。エネルギー節約状態にないセルが存在しない場合、Ｓ８５０を実行する。
【００７７】
ＯＡＭシステムは、ＯＡＭシステムに保存されたセル間の受信可能範囲補償関係とセルの状態情報とに従って、第３の通知メッセージ中のセル識別子に対応するセルＢを補償セルとして使用するセルがエネルギー節約状態にあるかどうかを判定する。
【００７８】
このステップにおけるＯＡＭシステムは、セルＢとの受信可能範囲補償関係を有し、かつ、エネルギー節約状態にある複数のセルが存在する、または、セルＢとの受信可能範囲補償関係を有し、かつ、正常状態にある複数のセルが存在する、と判定することがある。この場合、ＯＡＭシステムは、これらのセルに対して、同時に、または、順番にＳ８４０またはＳ８５０を実行することがある。
【００７９】
Ｓ８４０。ＯＡＭシステムは、セルＢを補償セルとして使用し、かつ、エネルギー節約状態にあるセルを起動する。
【００８０】
たとえば、セルＢは、セルＡのネットワーク受信可能範囲を引き継ぐことがあり、セル機能停止がセルＢに起こったとき、セルＡは、エネルギー節約状態にある。ＯＡＭシステムは、セル機能停止がセルＢに起こった、と判定したとき、ＯＡＭシステムはセルＡを起動し、これは、セル機能停止がエネルギー節約状態にあるセルＡのネットワーク受信可能範囲を引き継ぐセルに起こったとき、ネットワーク内に受信不可能領域が生じないようにする。
【００８１】
所望により、ＯＡＭシステムは、対応するセルを起動し、このセルを正常状態に維持するために、独立したメッセージを使用することによってＥＳ無効情報（ＤｉｓａｂｌｅＥＳ）を基地局に送信することがある。たとえば、メッセージがセルのエネルギー節約機能を無効にする意味を有する場合、基地局は、このメッセージを受信することにより、基地局に属するすべてのセルがデフォルトで処理されるべきである、と判定することがある。このメッセージがエネルギー節約機能を無効にする対象識別子、たとえば、セル識別子または基地局識別子をさらに搬送する場合、基地局は、このメッセージを受信することによってセルを処理する仕方を判定することがある。このメッセージは、伝送の理由が他の（複数の）セルのセル機能停止であるという意味をさらに有することがあり、その結果、このメッセージを受信する基地局は、エネルギー節約を無効にする理由を突き止める。たとえば、ＯＡＭシステムは、ｉｔｆ−Ｎインターフェイスを介して、エネルギー節約無効情報ＤｉｓａｂｌｅＥＳを含むメッセージをｅＮＢ１に送信する。エネルギー節約無効情報が、エネルギー節約が無効にされたセルＡのセル識別子を含む場合、ｅＮＢ１は、セルＡが正常状態に遷移されるべきことを突き止め、少なくともセルＢのセル機能停止の問題が解決済みであることを突き止めるまで、セルＡを正常状態に維持する。エネルギー節約無効情報が基地局識別子を含む場合、ｅＮＢ１は、セルＢのセル機能停止の問題が解決済みであることを突き止めるまで、ｅＮＢ１に属するすべてのセルが正常状態に維持されるべきことを突き止めることがある。ｅＮＢ１がエネルギー節約無効情報ＤｉｓａｂｌｅＥｓを含むメッセージを受信したとき、ｅＮＢ１に属するすべてのセルのうちの一部のセルだけがエネルギー節約状態にある場合、ｅＮＢ１は、セルの状態を正常状態に遷移させ、セルＢのセル機能停止の問題が解決済みであることを突き止めるまで、ｅＮＢ１に属するセル群を正常状態に維持し、よって、ネットワーク内に受信不可能領域が生じないようにする。
【００８２】
所望により、ＯＡＭシステムは、起動メッセージ中でエネルギー節約無効情報を搬送することがある。たとえば、ＯＡＭシステムは、ｉｔｆ−Ｎインターフェイスを介して、起動メッセージをｅＮＢ１に送信し、この起動メッセージは、エネルギー節約無効情報ＤｉｓａｂｌｅＥＳを含む。所望により、このエネルギー節約無効情報は、エネルギー節約が無効にされたセルまたは基地局の識別子情報を含む。その上、起動メッセージは、エネルギー節約機能を無効にする理由情報をさらに含む。ＯＡＭシステムがセルＡのセル識別子とセル機能停止の原因値とをｅＮＢ１に送信する場合、セル機能停止が他の（複数の）セルに起こり、セルＡは、少なくとも他の（複数の）セルのセル機能停止の問題が解決済みであることを突き止めるまで、正常状態に維持されるべきであるので、ＮＢ  １は、セルＡが正常状態に遷移されるべきことを突き止め、よって、ネットワーク内に受信不可能領域が生じないようにする。ＯＡＭシステムがセルＡのｅＮＢ１の識別子とセル機能停止の原因値とをｅＮＢ１に送信する場合、ｅＮＢ１は、ｅＮＢ１に属するすべてのセルが他の（複数の）セルのセル機能停止の問題が解決済みであることを突き止めるまで、少なくとも正常状態に維持されるべきことを突き止める。ｅＮＢ１が起動メッセージを受信したとき、ｅＮＢ１に属するすべてのセルのうちの一部のセルだけがエネルギー節約状態にある場合、ｅＮＢ１は、セルの状態を正常状態に遷移させ、セルＢのセル機能停止の問題が解決済みであることを突き止めるまで、ｅＮＢ１に属するセルを正常状態に維持し、よって、ネットワーク内に受信不可能領域が生じないようにする。
【００８３】
所望により、起動メッセージは、構成パラメータ情報をさらに含み、換言すると、ＯＡＭシステムは、セルＡに関連する構成パラメータをｅＮＢ１に通知し、その結果、ｅＮＢ１は、セルＡに関連した構成パラメータの修正を完了する。このようにして、セルＡは、起動された後に、より優れた受信可能範囲を提供する。起動メッセージが構成パラメータ情報を含まない場合、セルＡは、前の構成パラメータ情報を使用するか、または、セルＡの新しい構成パラメータを含む構成パラメータ修正コマンドを受信する。
【００８４】
Ｓ８５０。ＯＡＭシステムは、セル機能停止がセルＢに起こったことを補償セルとしてセルＢを使用し、かつ、正常状態にあるセルに通知する。
【００８５】
セルＢがセルＣのネットワーク受信可能範囲のための補償セルとしての役目を果たすと仮定すると、セル機能停止がセルＢに起こったときにセルＣがエネルギー節約状態にない場合、ＯＡＭシステムは、セル機能停止がセルＢに起こったことをセルＣのｅＮＢ１に通知し、セルＢのセル機能停止が終了する前に、ｅＮＢ１は、プリセット自動エネルギー節約ポリシーに従ってセルＣがエネルギー節約状態に入ることを許可しない。換言すると、ｅＮＢ１は、セルＢのセル機能停止が終了したと判定するまで、セルＣを正常状態に少なくとも維持することがあり、よって、ネットワーク内に受信不可能領域、または、セルＣのネットワーク受信可能範囲下にあるセルＣとセルＢとの間の頻繁な引き継ぎの変更に起因するピンポン効果が生じないようにする。ｅＮＢ１の処理方法は、本発明の他の実施形態におけるＳ２５０での処理方法に類似するので、これ以上説明しない。
【００８６】
このステップでは、ＯＡＭシステムは、Ｓ８４０においてエネルギー節約無効情報を送信する処理方法を採用することがあり、ＤｉｓａｂｌｅＥＳ情報は、セルＣのセル識別子を含むので、ｅＮＢ１は、セルＣがセルＢのセル機能停止の問題が解決済みであることを突き止めるまで、他の（複数の）セルのセル機能停止に起因して正常状態に少なくとも維持されるべきことを突き止める。詳細は、これ以上説明しない。
【００８７】
他の実施形態において提供された、基地局によって、セルのセル機能停止が終了したかどうかを突き止める方法は、本実施形態と組み合わされることもあり、または、ＯＡＭシステムは、問い合わせメッセージをｅＮＢ２に送信し、フィードバックメッセージを受信し、または、ＯＡＭシステムは、ｅＮＢ２によって送信された通知を受信し、セルＢのセル機能停止の問題が解決済みであることを突き止める。その後、ＯＡＭシステムは、セルＢのセル機能停止が解決済みであることをｅＮＢ１に通知するので、ｅＮＢ１は、セル機能停止が終了したことを直ちに突き止め、セルＡがエネルギー節約状態に入ることを許可する。
【００８８】
本発明の別の実施形態は、セルのエネルギー節約を有効にする方法を提供する。本実施形態は、ＯＡＭシステムが正常状態にあるセルのエネルギー節約を有効にする様々なシナリオに適用でき、本発明の他の実施形態において提供された集中アーキテクチャの下でセル機能停止に対処する方法と組み合わせることができる。たとえば、Ｓ８４０またはＳ８５０において、ｅＮＢ１は、セルＡのエネルギー節約を無効にし、すなわち、セルＡが正常状態を維持することを有効にする。次に、エネルギー節約有効情報を受信した場合、ｅＮＢ１は、セルＡがエネルギー節約状態に入ることを許可されたかどうかを判定するために自動エネルギー節約ポリシーを再使用し、その結果、セルＡは、再びエネルギー節約状態に入る機会がある。
【００８９】
所望により、ＯＡＭシステムは、対応するセルのエネルギー節約機能を有効にするために独立したメッセージを使用することによりエネルギー節約有効情報（ＥｎａｂｌｅＥＳ）を基地局に送信することがある。たとえば、メッセージがセルのエネルギー節約機能を有効にする意味を有する場合、基地局は、このメッセージを受信することにより、基地局に属するすべてのセルがデフォルトで処理されるべきである、と判定することがある。メッセージがエネルギー節約機能を有効にする対象識別子、たとえば、セル識別子または基地局識別子をさらに搬送する場合、基地局は、このメッセージを受信することによりこれらのセルを処理する仕方を判定することがある。このメッセージは、伝送の理由が別のセルのセル機能停止であるという指示をさらに有することがあり、その結果、このメッセージを受信した基地局は、エネルギー節約を有効にする理由を突き止める。たとえば、ＯＡＭシステムは、ｉｔｆ−Ｎインターフェイスを介してエネルギー節約有効メッセージＥｎａｂｌｅＥＳを含むメッセージをｅＮＢ１に送信する。ＥｎａｂｌｅＥＳ情報がエネルギー節約を許可されたセルＡのセル識別子を含む場合、ｅＮＢ１は、セルＡが正常状態に維持される必要がないことを突き止め、自動エネルギー節約ポリシーが満たされる場合、セルＡは、エネルギー節約状態に入ることを許可される。エネルギー節約有効情報がｅＮＢ１の識別子を含む場合、ｅＮＢ１は、ｅＮＢ１に属するすべてのセルが正常状態に維持される必要がないことを突き止めることがある。
【００９０】
所望により、ＯＡＭシステムは、停止メッセージ中でエネルギー節約有効情報を搬送することがある。たとえば、ＯＡＭシステムは、ｉｔｆ−Ｎインターフェイスを介して停止メッセージをｅＮＢ１に送信し、この停止メッセージは、ＥｎａｂｌｅＥＳ情報を含む。このＥｎａｂｌｅＥＳ情報は、エネルギー節約が有効にされたセルまたは基地局の識別子を含む。その上、停止メッセージは、エネルギー節約機能を有効にする理由情報をさらに含む。ＯＡＭシステムがセルＡのセル識別子と解決済みのセル機能停止原因値とをｅＮＢ１に送信する場合、ｅＮＢ１は、セルＡが他の（複数の）セルのセル機能停止に起因して正常状態に維持される必要がないことを突き止める。ＯＡＭシステムがセルＡのｅＮＢ１の識別子と解決済みのセル機能停止の原因値とをｅＮＢ１に送信する場合、ｅＮＢ１は、ｅＮＢ１に属するすべてのセルが他の（複数の）セルのセル機能停止に起因して正常状態に維持される必要がないことを突き止める。
【００９１】
本実施形態では、正常状態にあるセルの基地局は、セルのエネルギー節約機能を直ちに回復することが許可されるので、セルは、できるだけ早くエネルギー節約状態に入る機会があり、よって、基地局の電力消費を削減する。
【００９２】
本発明の別の実施形態は、セル構成パラメータに関連した処理方法を提供する。この方法は、本発明の他の実施形態において提供された集中アーキテクチャに適用できるセル機能停止に対処する方法と組み合わされることがある。
【００９３】
本実施形態では、セルＢは、セルＡのネットワーク受信可能範囲のための補償セルとしての役目を果たすことがあり、セル機能停止がセルＢに起こったとき、ＯＡＭシステムは、起動メッセージをセルＡのｅＮＢ１に送信することによりセルＡを起動する。起動メッセージが構成パラメータ情報を含まないとき、ｅＮＢ１は、構成パラメータ修正コマンドを受信し、構成パラメータ修正コマンドは、セルＡに関連した構成パラメータと構成パラメータを修正する理由とを含む。修正の理由は、セル機能停止を指示する原因値でもよく、または、修正が非セル機能停止によって引き起こされた修正とは異なる原因値でもよく、たとえば、構成パラメータを修正する理由は、少なくとも２つの識別子を区別し、一方の識別子は、構成パラメータが他の（複数の）セル（たとえば、セルＢ）のセル機能停止に起因して修正されたことを指示し、構成パラメータが他の理由に起因して修正されたことを指示する別の識別子とは異なる。ｅＮＢ１は、修正された構成パラメータと、構成パラメータを修正する理由とをさらに保存する。このようにして、セルのセル機能停止が終了したことを突き止めるとき、ｅＮＢ１は、セルＢのセル機能停止に起因して修正された、セルＡに関連した構成パラメータを元の構成パラメータに復元することがあり、よって、セル関連構成パラメータの高速回復を達成し、他の（複数の）セル（たとえば、セルＢ）のセル機能停止に起因したセル（たとえば、セルＡ）への影響を低減する。
【００９４】
図６に示されるように、本発明の別の実施形態は、基地局ｅＮＢ１を提供し、この基地局は、送信モジュール１１００と対処モジュール１２００とを含む。送信モジュール１１０は、セル機能停止が第２のセルに起こったことを指示する通知を受信するように構成され、対処モジュール１２００は、第１のセルがｅＮＢ１に属し、第２のセルがこの第１のセルの受信可能範囲を引き継ぐセルであるとして、第１のセルをエネルギー節約状態から正常状態に遷移させ、所望により、第１のセルを正常状態に維持するように構成されている。あるいは、対処モジュール１２００は、第２のセルのセル機能停止の問題が解決されるまで、第３のセルを正常状態に維持するように構成されている。第３のセルは、ｅＮＢ１に属し、第２のセルは、セルＣの受信可能範囲を引き継ぐセルである。
【００９５】
所望により、送信モジュール１１００は、第２のセルのセル識別子と、セル機能停止が第２のセルに起こったことを指示するセル機能停止指示情報とを受信するように構成されている。所望により、送信モジュール１１００は、エネルギー節約起動メッセージを受信するように構成され、このエネルギー節約起動メッセージは、第２のセルのセル識別子と起動理由とを含み、この起動理由は、セル機能停止の原因値を含む。たとえば、第２のセルは、第２の基地局に属し、エネルギー節約起動メッセージは、第２の基地局によって送信される。
【００９６】
所望により、基地局は、開始遅延時間情報を受信するように構成された受信モジュール１３００をさらに含み、開始遅延時間情報は、待機持続時間情報を含む。対処モジュール１２００は、受信モジュール１３００が開始遅延時間情報を受信した後、待機持続時間に達したときに、第１のセルの状態遷移プロセスを開始するようにさらに構成されている。
【００９７】
所望により、基地局は、開始遅延時間情報を受信するように構成された受信モジュール１３００をさらに含み、この開始遅延時間情報は、開始時間情報を含む。対処モジュール１２００は、受信モジュール１３００からもたらされる開始時間に達したときに、第１のセルの状態遷移プロセスを開始するようにさらに構成されている。
【００９８】
所望により、対処モジュール１２００は、第２のセルが第１のセルの受信可能範囲を引き継ぐセルである、と判定するようにさらに構成されている。
【００９９】
所望により、受信モジュール１３００は、対処モジュール１２００が第２のセルは第１のセルの受信可能範囲を引き継ぐセルであると判定した後、セル機能停止が第２のセルに起こったことを指示する通知を受信するように構成されている。所望により、対処モジュール１２００は、受信モジュール１３００が第２のセルにセル機能停止が発生したことを指示する通知を受信した後、第２のセルが第１のセルの受信可能範囲を引き継ぐセルであることを判定するように構成されている。
【０１００】
所望により、送信モジュール１１００は、受信モジュール１３００が第２のセルにセル機能停止が起こったことを指示する通知を受信する前、かつ、対処モジュール１２００が第２のセルは第１のセルの受信可能範囲を引き継ぐセルであると判定した後、第１のセルのセル識別子とセルエネルギー節約指示情報とを送信するようにさらに構成され、このセルエネルギー節約情報指示は、第１のセルがエネルギー節約状態に入ることを指示する。
【０１０１】
所望により、対処モジュール１２００は、受信モジュール１１００によって受信された第２のセルの識別子に従って第２のセルが第１のセルの受信可能範囲を引き継ぐセルであると判定するように構成されている。たとえば、受信モジュール１１００は、隣接セル関係情報ＥＳＣｏｍｐｅｎｓａｔｅｄＣｅｌｌＲｅｌａｔｉｏｎ、または、エネルギー節約補償セル情報ＥＵｔｒａｎＲｅｌａｔｉｏｎ情報、または、セル属性情報ＥＵｔｒａｎＧｅｎｅｒｉｃＣｅｌｌを受信し、この隣接セル関係情報情報、または、エネルギー節約補償セル情報、または、セル属性情報は、第２のセルの識別子情報を搬送する。
【０１０２】
所望により、送信モジュール１１００は、受信モジュール１１００が第２のセルの識別子を受信する前に、たとえば、ＩＲＰマネージャに第１のセルのセル識別子を送信するようにさらに構成されている。
【０１０３】
所望により、受信モジュール１１００は、第１のセルの構成パラメータと構成パラメータを修正する理由とを含む構成パラメータ修正コマンドを受信するようにさらに構成され、この修正の理由は、セル機能停止の原因値、または、修正が非セル機能停止によって引き起こされた修正とは異なることを指示する原因値である。
【０１０４】
所望により、受信モジュール１１００は、第２のセルのセル機能停止が終了したことを指示する通知を受信するようにさらに構成され、対処モジュール１２００は、自動エネルギー節約ポリシーに従って、第１のセルを正常状態に維持するために、または、第１のセルを正常状態からエネルギー節約状態に遷移させるようにさらに構成されている。
【０１０５】
本実施形態において提供された基地局を使用することにより、ネットワーク内の受信不可能領域は、エネルギー節約状態にある第１のセルのネットワーク受信可能範囲を引き継ぐ第２のセルにセル機能停止が起こったときに生じないようにされ得る。
【０１０６】
図６に示されるように、本発明の別の実施形態は、装置を提供する。この装置は、受信モジュール３１００と対処モジュール３２００とを含む。受信モジュール３１００は、たとえば、第２のセルのセル識別子と、セル機能停止が第２のセルに起こったことを指示するセル機能停止指示情報とを受信することにより、セル機能停止が第２のセルに起こったことを判定するように構成されている。対処モジュール３２００は、第１のセルがｅＮＢ１に属し、第２のセルが第１のセルの受信可能範囲を引き継ぐセルであるとして、ＯＡＭノースバウンド・インターフェイスを介して、第１のセルをエネルギー節約状態から正常状態に遷移させることを第１の基地局に命令し、所望により、第１のセルを正常状態に維持するように構成されている。あるいは、対処モジュール３２００は、ＯＡＭノースバウンド・インターフェイスを介して、第２のセルのセル機能停止の問題が解決済みであることを突き止めるまで第３のセルを正常状態に維持することを第１の基地局に命令するように構成され、この第３のセルは、第１の基地局に属し、この第２のセルは、第３のセルの受信可能範囲を引き継ぐセルである。所望により、セル機能停止指示情報が第２のセルの第２の基地局によって送信される。
【０１０７】
所望により、対処モジュール３２００は、ＯＡＭノースバウンド・インターフェイスを介して、エネルギー節約機能を無効にする理由情報を第１の基地局に送信するように構成され、このエネルギー節約機能を無効にする理由情報は、セル機能停止の原因値である。対処モジュール３２００は、ＯＡＭノースバウンド・インターフェイスを介して、エネルギー節約が無効にされた対象の識別子を送信するようにさらに構成され、たとえば、エネルギー節約が無効にされた対象の識別子は、第１のセルのセル識別子、または、第１の基地局の識別子である。
【０１０８】
所望により、対処モジュール３２００は、起動メッセージを受信するように構成され、この起動メッセージは、エネルギー節約機能を無効にする理由、または、エネルギー節約機能を無効にする識別子を含み、この起動メッセージは、第１のセルの構成パラメータ情報をさらに含む。
【０１０９】
所望により、対処モジュール３２００は、構成パラメータ修正コマンドを第１の基地局に送信するようにさらに構成され、この構成パラメータ修正コマンドは、第１のセルの構成パラメータと、構成パラメータを修正する理由とを含み、修正の理由は、セル機能停止の原因値、または、修正が非セル機能停止によって引き起こされた修正とは異なることを指示する原因値である。
【０１１０】
所望により、対処モジュール３２００は、受信モジュール３１００が第２のセルのセル識別子とセル機能停止が第２のセルに起こったことを指示するセル機能停止指示情報とを受信する前に、第１のセルに関連した指示情報を第１の基地局に送信するようにさらに構成され、この指示情報は、エネルギー節約が第１のため許可されていることを指示するために使用される。たとえば、指示情報は、隣接セル関係情報ＥＵｔｒａｎＲｅｌａｔｉｏｎ情報内のエネルギー節約補償セル情報ｉｓＥＳｃｏｍｐｅｎｓａｔｅＣｅｌｌ、または、第１のセルのセル属性情報ＥＵｔｒａｎＧｅｎｅｒｉｃＣｅｌｌ内のエネルギー節約許可情報ｉｓＥＳＡｌｌｏｗｅｄである。
【０１１１】
所望により、受信モジュール３１００は、セルＢのセル機能停止が終了したことを指示する通知を受信するようにさらに構成され、対処モジュール３２００は、ＯＡＭノースバウンド・インターフェイスを介して、エネルギー節約機能を有効にする理由情報を第１の基地局に送信するようにさらに構成され、たとえば、エネルギー節約機能を有効にする理由情報は、解決済みのセル機能停止の原因値である。
【０１１２】
所望により、対処モジュール３２００は、ＯＡＭノースバウンド・インターフェイスを介してエネルギー節約が許可された対象の識別子を送信するようにさらに構成され、たとえば、エネルギー節約が許可された対象の識別子は、第１のセルのセル識別子、または、第１の基地局の識別子である。
【０１１３】
本実施形態において提供された装置は、ＩＲＰマネージャでもよい。本実施形態において提供された基地局を使用することにより、ネットワーク内の受信不可能領域は、セル機能停止がエネルギー節約状態にある第１のセルの領域を受信可能範囲に含む第２のセルに起こったときに生じないようにされ得る。
【０１１４】
本実施形態において提供された装置を適用するさらに所望の方法は、他の実施形態において提供された方法を参照することが可能であり、これ以上説明しない。
【０１１５】
当業者は、前述の実施形態におけるステップの全部または一部が関連したハードウェアに命令するプログラムによって完成されてもよいことを理解するであろう。このプログラムは、ＲＯＭ／ＲＡＭ、磁気ディスク、または、コンパクトディスクのようなコンピュータ読み取り可能な記憶媒体に保存されることがある。
【０１１６】
以上の説明は、本発明の単なる例示的な実施形態であり、当業者は、発明の原理から逸脱することなく、様々な改善および改良を行うことがあることに注意すべきである。すべてのこのような修正および改良は、本発明によって網羅されることが意図されている。
【図１】
0005547848.tif 000002
【図２】
0005547848.tif 000003
【図３】
0005547848.tif 000004
【図４】
0005547848.tif 000005
【図５】
0005547848.tif 000006
【図６】
0005547848.tif 000007